(57)【特許請求の範囲】
【請求項１】
受動光ネットワークのＯＬＴにおいて、長期発光障害ＯＮＵを識別する方法であって、
Ａ．異なる周波数の特定の無線周波数信号を、受動光ネットワークの各ＯＮＵに割り当てるステップと、
Ｂ．受動光ネットワークにおいて、ノイズまたはランダム信号を送信し、そのため正常なＯＮＵのアップリンク信号が正常に受信され得ない、長期発光障害ＯＮＵが検出された場合、
ｂ１．各ＯＮＵに制御メッセージをブロードキャストするステップであって、制御メッセージは各ＯＮＵに特定の無線周波数信号をアップリンクで送信するように指示する、ブロードキャストするステップと、
ｂ２．アップリンク信号をアップリンクで受信するステップであって、アップリンク信号は、アップリンクで受信される前に重畳されている、長期発光障害ＯＮＵにより送信されたノイズまたはランダム信号と、正常なＯＮＵのそれぞれによって送信された特定の無線周波数信号とを含む、受信するステップと、
ｂ３．アップリンク信号から、正常なＯＮＵのそれぞれにより送信された特定の無線周波数信号を回復するステップと、
ｂ４．回復された特定の無線周波数信号に従って、存在しない特定の無線周波数信号を識別するステップであって、存在しない特定の無線周波数信号に対応するＯＮＵが長期発光障害ＯＮＵである、識別するステップとを含む、方法。
【請求項２】
ステップｂ３が、
アップリンク信号から、正常なＯＮＵのそれぞれにより送信された特定の無線周波数信号を回復するために、受信したアップリンク信号に対してフーリエ変換を実行することを特に含む、請求項１に記載の方法。
【請求項３】
特定の無線周波数信号が低周波数信号である、請求項１または２に記載の方法。
【請求項４】
特定の無線周波数信号が、符号化され、アップリンクデータフレームに挿入されることができる、請求項３に記載の方法。
【請求項５】
受動光ネットワークのＯＮＵにおいて、ＯＬＴが長期発光障害ＯＮＵを識別するのを支援する方法であって、
ＯＮＵに特定の無線周波数信号を提供するステップであって、受動光ネットワークの各ＯＮＵの特定の無線周波数信号の周波数は互いに異なる、提供するステップと、
各ＯＮＵに特定の無線周波数信号をアップリンクで送信するように指示する、ＯＬＴによりブロードキャストされた制御メッセージが受信された場合、
アップリンクデータ信号がＯＬＴにアップリンクで送信されるのを一時的に停止するステップと、
特定の無線周波数信号をＯＬＴにアップリンクで送信するステップとを含み、
送信された特定の無線周波数信号は、他の正常なＯＮＵによって送信された特定の無線周波数信号および長期発光障害ＯＮＵによって送信されたノイズまたはランダム信号と重畳される、方法。
【請求項６】
特定の無線周波数信号が低周波数信号である、請求項５に記載の方法。
【請求項７】
特定の無線周波数信号を符号化するステップと、符号化された特定の無線周波数信号を、ＯＬＴへの送信のためにアップリンクデータフレームに挿入するステップとをさらに含む、請求項５または６に記載の方法。
【請求項８】
受動光ネットワークにおいて長期発光障害ＯＮＵを識別するＯＬＴ装置であって、
ダウンリンク信号を受動光ネットワークのＯＮＵに送信するように構成された送信モジュールと、
アップリンク信号を受動光ネットワークのＯＮＵから受信するように構成された受信モジュールと、
重畳されている、長期発光障害ＯＮＵにより送信されたノイズまたはランダム信号と、正常なＯＮＵのそれぞれによって送信された特定の無線周波数信号とを含む、アップリンク信号から、正常なＯＮＵのそれぞれにより送信された特定の無線周波数信号を回復するように構成され、受動光ネットワークの各ＯＮＵの特定の無線周波数信号の周波数が互いに異なる、復号モジュールと、
復号モジュールによって回復された特定の無線周波数信号に従って、存在しない特定の無線周波数信号を識別するように構成され、存在しない特定の無線周波数信号に対応するＯＮＵが長期発光障害ＯＮＵである、処理モジュールとを含む、ＯＬＴ装置。
【請求項９】
受動光ネットワークにおいて、ノイズまたはランダム信号を送信し、そのため正常なＯＮＵのアップリンク信号が正常に受信され得ない、長期発光障害ＯＮＵが検出された場合、
送信モジュールが各ＯＮＵに制御メッセージをブロードキャストし、制御メッセージは各ＯＮＵに特定の無線周波数信号をアップリンクで送信するように指示し、
受信モジュールはアップリンク信号をアップリンクで受信し、
復号モジュールが、アップリンク信号から、正常なＯＮＵのそれぞれにより送信された特定の無線周波数信号を回復し、
処理モジュールが、復号モジュールにより回復された特定の無線周波数信号に従って存在しない特定の無線周波数信号を識別し、存在しない特定の無線周波数信号に対応するＯＮＵが、長期発光障害ＯＮＵである、請求項８に記載のＯＬＴ装置。
【請求項１０】
復号モジュールが、アップリンク信号から、正常なＯＮＵのそれぞれにより送信された特定の無線周波数信号を回復するために、受信したアップリンク信号に対してフーリエ変換を実行する、請求項９に記載のＯＬＴ装置。
【請求項１１】
特定の無線周波数信号が低周波数信号である、請求項８から１０のいずれか一項に記載のＯＬＴ装置。
【請求項１２】
特定の無線周波数信号が、符号化され、アップリンクデータフレームに挿入されることができる、請求項１１に記載のＯＬＴ装置。
【発明の詳細な説明】
【技術分野】
【０００１】
本開示は全体として光通信の分野に関し、特に受動光ネットワークにおけるＯＬＴによる長期発光障害ＯＮＵを識別する方法および装置、ならびに受動光ネットワークのＯＮＵにおいて、ＯＬＴが長期発光障害ＯＮＵを識別するのを支援する方法に関する。
【背景技術】
【０００２】
ＴＤＭ／ＴＷＤＭ−ＰＯＮシステムにおいて、障害ＯＮＵ（Ｏｐｔｉｃａｌ  Ｎｅｔｗｏｒｋ  Ｕｎｉｔ）は、アップリンク帯域幅により割り当てられたタイムスロットでＯＮＵがレーザをオンまたはオフにしないか、アップリンク信号を誤ったタイムスロットで送信し、その結果他のＯＮＵの正常なアップリンク送信を妨害するという挙動を意味する。あらゆる種類の障害挙動の中で、長期発光障害が最も厄介である。長期発光障害ＯＮＵは、常にそのレーザを動作状態に保ち、ランダム信号、アイドル信号、または他の予期されない信号を常に送信する。図１に示されているように、長期発光障害ＯＮＵは他の正常なＯＮＵに割り当てられたアップロードタイムスロットを占領し、結果として他のアップリンク信号と衝突する。したがって、長期発光障害ＯＮＵは他のすべての正常に動作しているＯＮＵがアップリンク信号を送信できないようにすることがあり、ひいてはネットワークの動作に深刻な影響を与え得る。
【０００３】
現在、長期発光障害ＯＮＵを識別するための考え得る解決策は、システムのＯＮＵの光送信機モジュールを、ＯＬＴ（Ｏｐｔｉｃａｌ  Ｌｉｎｅ  Ｔｅｒｍｉｎａｌ）からの制御コマンドに基づいて一つずつオフにすることである。この一つずつ検出する方法により、ＯＬＴは最終的に、どのＯＮＵが長期発光障害ＯＮＵかを識別することができる。
【０００４】
しかしながら、長期発光障害ＯＮＵは主に、ＭＡＣエラーまたは送受信機の故障によって引き起こされるので、上述の一つずつ検出する方法は、以下の状況で長期発光障害ＯＮＵを識別することができない：
１）長期発光障害ＯＮＵがＯＬＴの制御メッセージに応答できず、その光送信機のシャットダウンを拒否する。
２）長期発光障害ＯＮＵはＬＴの制御メッセージに応答できるが、ハードウェアの異常または他の故障により、その送信機をシャットダウンする制御コマンドを実行できない。
【０００５】
これらの状況では、長期発光障害ＯＮＵを手動で識別する必要があり、メンテナンスコストが莫大になることがある。したがって、ネットワークオペレータにとって、ＰＯＮシステムが故障した際にどのＯＮＵが長期発光障害ＯＮＵであるかを識別することは不可欠である。特に、実際の実装において、応答しない長期発光障害ＯＮＵをリモートおよび自動で識別する効果的な解決策は存在しなかった。
【発明の概要】
【発明が解決しようとする課題】
【０００６】
上述の技術的問題に取り組むため、本発明はＴＤＭ／ＴＤＷＭ−ＰＯＮシステムの長期発光障害ＯＮＵを迅速に識別するコスト効率の良い解決策を提案する。
【課題を解決するための手段】
【０００７】
本発明の態様によれば、受動光ネットワークのＯＬＴにおいて、長期発光障害ＯＮＵを識別する方法が開示され、方法は以下のステップを含む：Ａ．異なる周波数の特定の無線周波数信号を、受動光ネットワークの各ＯＮＵに割り当てるステップと、Ｂ．受動光ネットワークにおいて、ノイズまたはランダム信号を送信する送信し、そのため正常なＯＮＵのアップリンク信号が正常に受信され得ない、長期発光障害ＯＮＵが検出された場合、ｂ１．各ＯＮＵに制御メッセージをブロードキャストするステップであって、制御メッセージは各ＯＮＵに特定の無線周波数信号をアップリンクで送信するように指示する、ブロードキャストするステップと、ｂ２．アップリンク信号をアップリンクで受信するステップと、ｂ３．アップリンク信号から、正常なＯＮＵにより送信された特定の無線周波数信号を回復するステップと、ｂ４．回復された特定の無線周波数信号に従って、存在しない特定の無線周波数信号を識別するステップであって、存在しない特定の無線周波数信号に対応するＯＮＵが長期発光障害ＯＮＵである、識別するステップ。
【０００８】
特にステップｂ３は、アップリンク信号から、正常なＯＮＵにより送信された特定の無線周波数信号を回復するために、受信したアップリンク信号に対してフーリエ変換を実行するステップを含む。
【０００９】
特にアップリンク信号は、長期発光障害ＯＮＵにより送信されたノイズまたはランダム信号および正常なＯＮＵにより送信された特定の無線周波数信号を含む。
【００１０】
特に特定の無線周波数信号は、低周波数信号である。
【００１１】
特に特定の無線周波数信号は、符号化され、アップリンクデータフレームに挿入されることができる。
【００１２】
本発明の他の態様によれば、受動光ネットワークのＯＮＵにおいて、ＯＬＴが長期発光障害ＯＮＵを識別するのを支援する方法が開示され、方法は以下のステップを含む：ＯＮＵに特定の無線周波数信号を提供するステップであって、受動光ネットワークの各ＯＮＵの特定の無線周波数信号の周波数は互いに異なる、提供するステップと、各ＯＮＵに特定の無線周波数信号をアップリンクで送信するように指示する、ＯＬＴによりブロードキャストされた制御メッセージが受信された場合、アップリンクデータ信号がＯＬＴにアップリンクで送信されるのを一時的に停止するステップと、特定の無線周波数信号をＯＬＴにアップリンクで送信するステップ。
【００１３】
特に特定の無線周波数信号は、低周波数信号である。
【００１４】
特に、方法はさらに以下のステップを含む：特定の無線周波数信号を符号化し、符号化された特定の無線周波数信号を、ＯＬＴへの送信のためにアップリンクデータフレームに挿入するステップ。
【００１５】
本発明の他の態様によれば、受動光ネットワークにおいて長期発光障害ＯＮＵを識別するＯＬＴ装置が開示され、ＯＬＴ装置は以下を含む：ダウンリンク信号を受動光ネットワークのＯＮＵに送信するように構成された送信モジュールと、アップリンク信号を受動光ネットワークのＯＮＵから受信するように構成された受信モジュールと、アップリンク信号から、正常なＯＮＵにより送信された特定の無線周波数信号を回復するように構成された、受動光ネットワークの各ＯＮＵの特定の無線周波数信号の周波数は互いに異なる復号モジュールと、復号モジュールによって回復された特定の無線周波数信号に従って、存在しない特定の無線周波数信号を識別するように構成された、存在しない特定の無線周波数信号に対応するＯＮＵが長期発光障害ＯＮＵである処理モジュール。
【００１６】
特に、受動光ネットワークにおいて、ノイズまたはランダム信号を送信し、そのため正常なＯＮＵのアップリンク信号が正常に受信され得ない、長期発光障害ＯＮＵが検出された場合：送信モジュールは各ＯＮＵに制御メッセージをブロードキャストし、制御メッセージは各ＯＮＵに特定の無線周波数信号をアップリンクで送信するように指示し、受信モジュールはアップリンク信号をアップリンクで受信し、アップリンク信号は、長期発光障害ＯＮＵにより送信されたノイズまたはランダム信号および正常なＯＮＵにより送信された特定の無線周波数信号を含み、復号モジュールは、アップリンク信号から、正常なＯＮＵにより送信された特定の無線周波数信号を回復し、処理モジュールは、復号モジュールにより回復された特定の無線周波数信号に従って存在しない特定の無線周波数信号を識別し、存在しない特定の無線周波数信号に対応するＯＮＵが、長期発光障害ＯＮＵである。
【００１７】
特に復号モジュールは、アップリンク信号から、正常なＯＮＵにより送信された特定の無線周波数信号を回復するために、受信したアップリンク信号に対してフーリエ変換を実行する。
【００１８】
特に特定の無線周波数信号は、低周波数信号である。
【００１９】
特に特定の無線周波数信号は、符号化され、アップリンクデータフレームに挿入されることができる。
【００２０】
本発明は、第１に、長期発光障害ＯＮＵが自身の光送信機をオフにできない場合であっても、長期発光障害ＯＮＵは迅速に識別されることができ、第２に、ＯＮＵには追加の要素は必要なく、ＯＬＴにおいて付加的な復号機のみが必要なだけなので、ハードウェアコストが低く、したがって不必要なハードウェアの経費を削減でき、第３に、この解決策は長期発光障害ＯＮＵをリモートおよび自動で識別することができ、したがって運用およびメンテナンスコストを大幅に削減できるので、運用およびメンテナンスが低コストであり、第４に、この解決策は動作中の長期発光障害ＯＮＵを識別することができ、したがって従来技術とは異なり正常に動作しているＯＮＵの光送信機をオフにしないという点で、有利である。
【００２１】
これらの利点により、提案された解決策はＴＤＭ／ＴＷＤＭ−ＰＯＮシステムの長期発光障害ＯＮＵを識別する好ましい解決策である。
【００２２】
本発明の前述のおよび他の特徴は、図面と関連して示される実施形態の以下の詳細な説明からより明らかになる。図面の同一または類似の符号は、同一または類似のステップを意味している。
【図面の簡単な説明】
【００２３】
【図１】ＰＯＮシステムにおける長期発光障害ＯＮＵの挙動を示す概略図である。
【図２】本発明による長期発光障害ＯＮＵを識別することの構造概略図である。
【図３】本発明による、受動光ネットワークのＯＬＴにおいて、長期発光障害ＯＮＵを識別する方法を示すフロー図である。
【図４】本発明による、受動光ネットワークにおいて長期発光障害ＯＮＵを識別するＯＬＴ装置のモジュールのブロック図である。
【図５】長期発光障害ＯＮＵを識別するプロセスの概略図である。
【図６】本発明による、受動光ネットワークのＯＮＵにおいて、ＯＬＴが長期発光障害ＯＮＵを識別するのを支援する方法のフロー図である。
【発明を実施するための形態】
【００２４】
本発明の好ましい実施形態に関する以下の特定の説明は、本発明の一部を成す図面を参照する。本発明が具現化され得る特定の実施形態は、図面において例として示されている。例示的な実施形態は、本発明のすべての実施形態を網羅することを意図していない。本発明による方法のステップが特定の順序で説明されているが、望ましい結果を得るためにこれらの操作が特定の順序で実施されることや、すべての示される操作が実施されることを要求したり提案したりすることを意図しておらず、反対に、この文脈で説明されているステップは、異なる順序で実施され得ることに留意されたい。さらに、またはあるいは、いくつかのステップは省略することができ、複数のステップは一つのステップに統合されて実施される、および／または、一つのステップは複数のステップに分割されて実施されることができる。
【００２５】
図２は、本発明による長期発光障害ＯＮＵを識別することの構造概略図であり、その全体的な構造は、従来のＰＯＮシステムと同様である。本発明において、ＲＮ（Ｒｅｍｏｔｅ  Ｎｏｄｅ）には変更はないが、ＯＬＴおよびＯＮＵモジュールにはいくつかの小さな変更がある。
【００２６】
図３は、本発明による、受動光ネットワークのＯＬＴにおいて、長期発光障害ＯＮＵを識別する方法を示すフロー図である。図４は、本発明による、受動光ネットワークにおいて長期発光障害ＯＮＵを識別するＯＬＴ装置のモジュールのブロック図である。本発明による、受動光ネットワークのＯＬＴにおいて、長期発光障害ＯＮＵを識別する方法のステップは、図３の方法のフロー図および図４のモジュールのブロック図を参照しつつ、以下で詳細が説明される。
【００２７】
図４は、本発明による、受動光ネットワークにおいて長期発光障害ＯＮＵを識別するＯＬＴ装置４００のモジュール要素を示しており、以下を含む：
光ファイバネットワークと接続された波長分割多重方式モジュール４０２は、ＯＬＴデバイスの送信モジュール４０６によって送信されたダウンリンク信号が波長分割多重方式モジュール４０２を介して光ファイバネットワークに送信され、光ファイバネットワークのアップリンク信号が波長分割多重方式モジュール４０２を介してＯＬＴデバイスの受信モジュール４０８に送信されるように、アップリンクおよびダウンリンク波長分割多重方式信号を互いから分離するように構成される。
【００２８】
波長分割多重方式モジュール４０２と通信可能に結合された送信モジュール４０６は、ダウンリンク信号を、受動光ネットワークのＯＮＵに送信するように構成される。
【００２９】
波長分割多重方式モジュール４０２と通信可能に結合された受信モジュール４０８は、アップリンク信号を、受動光ネットワークのＯＮＵから受信するように構成される。
【００３０】
受信モジュール４０８に通信可能に結合された復号モジュール４１０は、アップリンク信号から正常なＯＮＵにより送信された特定の無線周波数信号を回復するように構成される。ここで、復号モジュール４１０は代わりに、図２の２０８で示されているように、受信モジュール４０８の一部として、受信モジュール４０８において組み込まれてもよく、または代わりに、ＯＬＴデバイスとは別個の取り付けられた構成要素（図示されていない）としてＯＬＴデバイスに取り付けられてもよいことに留意されたい。
【００３１】
受信モジュール４０８、送信モジュール４０６および復号モジュール４１０と通信可能に結合された処理モジュール４１２は、復号モジュール４１０によって回復された特定の無線周波数信号に従って存在しない特定の無線周波数信号を識別し、存在しない特定の無線周波数信号に従って長期発光障害ＯＮＵを決定するように構成される。
【００３２】
図３に示されているように、ＯＬＴデバイス４００は、ステップ３０２で特定の無線周波数信号をそれぞれのＯＮＵに割り当てる。
【００３３】
特にＯＬＴは、特定の無線周波数信号を受動光ネットワークの各ＯＮＵに割り当て、特定の無線周波数信号はデータが変調されていない正弦波長信号であり、特定の無線周波数信号の異なる周波数が各ＯＮＵに割り当てられており、例えば周波数ｆ１の特定の無線周波数信号はＯＮＵ１に割り当てられており、周波数ｆ２の特定の無線周波数信号はＯＮＵ２に割り当てられており、．．．、周波数ｆｎの特定の無線周波数信号はＯＮＵｎに割り当てられている。したがって、異なる特定の無線周波数信号は異なるＯＮＵに対応しており、つまり、一意のＯＮＵは特定の無線周波数信号により識別され得る。特定の無線周波数信号は符号化され、アップリンクでのＯＬＴへの送信のために、アップリンクデータフレームに挿入され得る。
【００３４】
好ましい実施形態において、特定の無線周波数信号は低周波数信号である。低周波数信号は生成および検出するのが容易なため、割り当てられた特定の無線周波数信号は、信号の生成および検出のコストの観点から、低周波数信号である。
【００３５】
ステップ３０４で、ＯＬＴデバイス４００は、光通信ネットワークに長期発光障害ＯＮＵがあるかどうかを検出する。
【００３６】
特にＯＬＴは、ノイズまたはランダム信号を送信し、そのためすべての他の正常なＯＮＵのアップリンク信号がＯＬＴにより正しく受信され得ないような、受動光ネットワークの長期発光障害ＯＮＵを検出し、ＯＬＴは、この状況が受動光ネットワークに存在する場合にステップ３０６に進む。そうでない場合、ＯＬＴは引き続き正常に動作し、所定の期間の後に光通信ネットワークの長期発光障害ＯＮＵをさらに検出する。好ましい実施形態において、ＯＬＴは、ＯＬＴにより受信されたアップリンク信号のエラービット率が特定の閾値よりも大きい場合、光通信ネットワークに長期発光障害ＯＮＵがあるかどうかの検出を開始する。
【００３７】
ステップ３０６で、送信モジュール４０６は各ＯＮＵに制御メッセージをブロードキャストする。
【００３８】
特に送信モジュール４０６は、ＰＬＯＡＭ（Ｐｈｙｓｉｃａｌ  Ｌａｙｅｒ  Ｏｐｅｒａｔｉｏｎ、Ａｄｍｉｎｉｓｔｒａｔｉｏｎ  ａｎｄ  Ｍａｉｎｔｅｎａｎｃｅ）制御メッセージをシステムのすべてのＯＮＵにブロードキャストし、制御メッセージは、すべてのＯＮＵにそのそれぞれの特定の無線周波数信号をアップリンクで送信するように指示する制御コマンドである。
【００３９】
制御メッセージを受信すると、すべての正常なＯＮＵは元のアップリンクデータ信号が送信されるのを一時的に停止し、割り当てられた特定の無線周波数信号をＯＬＴに送信する。長期発光障害ＯＮＵがある場合、長期発光障害ＯＮＵは、正常なＯＮＵのデータ送信と干渉するノイズまたはランダム信号を送信し、そのためＯＬＴは正常なＯＮＵのアップリンク信号を正しく受信できない。長期発光障害ＯＮＵが識別され隔離されると、これらの正常なＯＮＵはアップリンクデータの送信を続ける。したがってアップリンクの特定の無線周波数信号はアップリンク信号のどの帯域幅も占領しない。
【００４０】
一方で、長期発光障害ＯＮＵは、ＭＡＣエラーまたは送受信機の故障のためそのレーザを引き続き動作状態に保つため、ＯＬＴの制御メッセージに応答せず、ノイズ、ランダム信号または他の望ましくない光信号の送信を続ける。
【００４１】
図２に示されているように、正常なＯＮＵにより送信される特定の無線周波数信号および長期発光障害ＯＮＵに送信されるノイズまたはランダム信号は重畳され、光ファイバを介してＯＬＴデバイスに送信される。
【００４２】
ステップ３０８で、受信モジュール４０８はアップリンク信号をアップリンクで受信する。
【００４３】
特にＯＬＴは、制御メッセージを送信した後に、受信モジュール４０８を介してアップリンク信号をアップリンクで受信し、アップリンク信号は長期発光障害ＯＮＵにより送信されたノイズ（またはランダム信号）および正常なＯＮＵにより送信された特定の無線周波数信号を含む。ノイズ（またはランダム信号）および特定の無線周波数信号は、リモートモードにより重畳される。受信モジュール４０８は、それぞれの正常なＯＮＵにより送信された特定の無線周波数信号がアップリンク信号から回復されるように、アップリンク信号を受信すると、それを復号モジュール４１０に送信する。
【００４４】
ステップ３１０で、復号モジュール４１０は特定の無線周波数信号を回復する。
【００４５】
特に復号モジュール４１０は、ノイズまたはランダム信号を含むアップリンク信号から、正常なＯＮＵにより送信された特定の無線周波数信号を回復するために、受信したアップリンク信号に対してフーリエ変換を実行する電子スペクトル解析器により具現化され得る。
【００４６】
ステップ３１２で、処理モジュール４１２は長期発光障害ＯＮＵを識別する。
【００４７】
特に処理モジュール４１２は、それぞれの正常なＯＮＵから送信され、復号モジュール４１０により回復された特定の無線周波数信号から存在しない特定の無線周波数信号を識別し、存在しない特定の無線周波数信号に対応するＯＮＵが、長期発光障害ＯＮＵである。図５は、長期発光障害ＯＮＵを識別するプロセスの概略図である。図５で示されている例では、システムにおいてＯＮＵ１、ＯＮＵ２、．．．、およびＯＮＵ５である５つのＯＮＵがあり、ＯＮＵ２は絶えずランダム信号を送信する長期発光障害ＯＮＵである。特定の周波数の特定の無線周波数信号が各ＯＮＵに割り当てられている（ＯＮＵ１の特定の無線周波数信号の周波数はｆ１であり、．．．、ＯＮＵ５の特定の無線周波数信号の周波数はｆ５である）。ＯＬＴが、すべてのＯＮＵに特定の無線周波数信号を送信するように指示する制御信号を送信する場合、ＯＮＵ２以外のすべてのＯＮＵは、そのそれぞれの特定の無線周波数信号をＯＬＴに送信する。したがって、それぞれの正常なＯＮＵ、すなわちｆ１、ｆ３、ｆ４およびｆ５に対応する特定の無線周波数信号は、復号モジュール４１０により解析されるアップリンク信号から、フーリエ変換により回復され得る。解析モジュール４１２は、復号モジュール４１０により回復された特定の無線周波数信号から、受信したアップリンク信号に周波数ｆ２の特定の無線周波数信号が存在しないことを識別でき、したがってＯＮＵ２が、制御メッセージに応じてそれ独自の特定の無線周波数信号を送信しておらず、ＯＮＵ２が識別されるべき長期発光障害ＯＮＵであることを決定し得る。
【００４８】
長期発光障害ＯＮＵは、成功裏に識別された後、手動でまたは自動で隔離され得る。その詳細については従来技術のいくつかの文献にある実施様態の例を参照することができ、障害ＯＮＵをどのように隔離するかについては本発明の焦点ではないため、その詳細な説明はここでは省略される。
【００４９】
図６は、本発明による、受動光ネットワークのＯＮＵにおいて、ＯＬＴが長期発光障害ＯＮＵを識別するのを支援する方法のフロー図である。本発明による、受動光ネットワークのＯＮＵにおいて、ＯＬＴが長期発光障害ＯＮＵを識別するのを支援する方法のステップは、図６の方法のフロー図を参照しつつ、以下で説明される。
【００５０】
ステップ６０２で、各ＯＮＵには特定の無線周波数信号が提供されており、受動光ネットワークの各ＯＮＵの特定の無線周波数信号の異なる周波数があり、また特定の無線周波数信号はＯＮＵごとに一意であるため、それぞれのＯＮＵは特定の無線周波数信号により識別され得る。
【００５１】
好ましい実施形態において、特定の無線周波数信号は低周波数信号である。低周波数信号は高周波数信号よりも生成および検出するのが容易なため、特定の無線周波数信号は、コスト削減の観点から、低周波数信号である。
【００５２】
ステップ６０４において、ＯＮＵはＯＬＴによりブロードキャストされた制御メッセージが受信されたかどうかを判断し、制御メッセージは、各ＯＮＵに特定の無線周波数信号をアップリンクで送信するように指示する制御コマンドである。ＯＮＵはステップ６０５に進む。ここで、制御メッセージが受信されていない場合、アップリンクデータ信号は元の方法によりアップリンクで送信される。ＯＮＵは、制御メッセージを受信すると、ステップ６０６に進む。
【００５３】
ステップ６０６で、ＯＮＵはアップリンクデータ信号がＯＬＴにアップリンクで送信されるのを一時的に停止し、ステップ６０８に進む。ＯＬＴにより送信された制御メッセージが受信されると、それはＯＮＵにより送信されたアップリンクデータ信号がＯＬＴにより正しく受信されないようにする、長期発光障害ＯＮＵが受動光ネットワークにあることを示すので、リソースの不必要な無駄を避けるためにアップリンクデータ信号の進行中の送信の挙動を一時的に停止することが必要である。ＯＮＵは、ＯＬＴが長期発光障害ＯＮＵを識別し隔離するのを支援するためにステップ６０８に進む。
【００５４】
ステップ６０８で、ＯＮＵは、ＯＮＵがＯＬＴの制御メッセージに応答できることと、依然として正常に動作していることを示すため、それに割り当てられた特定の無線周波数信号をＯＬＴにアップリンクで送信する。本発明による実施形態において、ＯＮＵは特定の無線周波数信号を符号化し、ＯＬＴへの送信のためにアップリンクデータフレームに挿入する。
【００５５】
ＯＮＵは、長期発光障害ＯＮＵがＯＬＴにより識別され隔離された後、アップリンクでアップリンクデータの送信を続けることができる。
【００５６】
当業者は、本発明は明らかに前述の例示的な実施形態に限定されず、本発明の趣旨や本質から逸脱することなく他の特定の形式で具現化され得ることを理解することができるであろう。したがって、実施形態はいずれにしても例示的であり、限定的ではないと解釈されるものとする。さらに明らかに、「含む」という用語は他の要素またはステップを除外することはなく、また単数形は複数形を除外しない。装置クレームで言及されている複数の要素は、代わりに単一の要素で具現化することもできる。「第１」、「第２」等の用語は、名称を指定することを意図しており、何らかの特定の順序を提案するものではない。
【図１】
0006321802.tif 000002
【図２】
0006321802.tif 000003
【図３】
0006321802.tif 000004
【図４】
0006321802.tif 000005
【図５】
0006321802.tif 000006
【図６】
0006321802.tif 000007